(57)【要約】【課題】コンテンツ公開サービスを利用することをユーザにより動機付け可能な管理装置を提供する。【解決手段】管理サーバ（４）は、通信部（４０３）と、ウェブページ作成部（４１３）と、対象の商品に関するコンテンツと、対象の商品に関するサイトまたはアプリにアクセス可能なリンク機能を有するオブジェクトとを関連付けてコンテンツ公開サービスに投稿したユーザのユーザアカウントに対し、有価情報を付与する付与部（４１６）と、を備える。【選択図】図１
2020126539.tif 000002
【特許請求の範囲】
【請求項１】
ユーザの指示に応じて、コンテンツをユーザアカウントに対応させて通信ネットワーク上で公開するコンテンツ公開サービスを提供する管理装置であって、
対象の商品に関するコンテンツと、当該対象の商品に関するサイトまたはアプリにアクセス可能なリンク機能を有するオブジェクトとを関連付けて前記コンテンツ公開サービスに投稿する投稿指示を、端末装置から受け付ける通信部と、
前記オブジェクトに関連付けられた前記コンテンツおよび前記オブジェクトを、前記コンテンツ公開サービスにおける表示画面に表示する表示画面作成部と、
前記投稿指示を行ったユーザのユーザアカウントに対し、有価情報を付与する付与部と、を備えることを特徴とする管理装置。
【請求項２】
前記コンテンツは画像である
ことを特徴とする請求項１に記載の管理装置。
【請求項３】
前記通信部は、
前記投稿指示を行ったユーザのユーザアカウントに対して前記有価情報が付与された旨を、前記投稿指示を行ったユーザの端末装置に通知する
ことを特徴とする請求項１または２に記載の管理装置。
【請求項４】
前記付与部は、
前記オブジェクトを介してアクセスされた前記対象の商品に関するサイトまたはアプリにおいて商品が購入された場合、前記投稿指示を行ったユーザのユーザアカウントに対し、前記有価情報を付与する
ことを特徴とする請求項１から３までのいずれか１項に記載の管理装置。
【請求項５】
前記通信部は、
前記オブジェクトを介してアクセスされた前記対象の商品に関するサイトまたはアプリにおいてユーザが商品を購入した場合、前記投稿指示を行ったユーザのユーザアカウントに対して前記有価情報が付与された旨を、前記商品を購入したユーザの端末装置に通知する
ことを特徴とする請求項４に記載の管理装置。
【請求項６】
前記コンテンツ公開サービスはソーシャルネットワークサービスである
ことを特徴とする請求項１から５までのいずれか１項に記載の管理装置。
【請求項７】
前記表示画面作成部は、
前記表示画面に表示された前記コンテンツ上に前記オブジェクトを表示させる
ことを特徴とする請求項１から６までのいずれか１項に記載の管理装置。
【請求項８】
前記コンテンツにおける対象の商品と、前記オブジェクトからアクセス可能なサイトまたはアプリにおける対象の商品とが一致しているか否かを判定する判定部をさらに備え、
前記判定部は、前記コンテンツにおける対象の商品と、前記オブジェクトからアクセス可能なサイトまたはアプリにおける対象の商品とが一致していないと判定した場合、前記コンテンツまたは前記オブジェクトを削除する
ことを特徴とする請求項１から７までのいずれか１項に記載の管理装置。
【請求項９】
複数の同じコンテンツが前記コンテンツ公開サービスに投稿されたか否かを判定する判定部をさらに備え、
前記判定部は、前記複数の同じコンテンツが前記コンテンツ公開サービスに投稿されたと判定した場合、当該投稿を無効にする
ことを特徴とする請求項１から８までのいずれか１項に記載の管理装置。
【請求項１０】
前記付与部は、
前記投稿指示を行ったユーザのユーザアカウントに対し、前記コンテンツに関連付けられた前記オブジェクトの数に応じた有価情報を付与する
ことを特徴とする請求項１から９までのいずれか１項に記載の管理装置。
【請求項１１】
前記表示画面作成部は、
前記通信部を介して、前記コンテンツと、当該コンテンツに含まれる対象の商品に関する前記オブジェクトとを関連付けることを前記端末装置のユーザに提案する
ことを特徴とする請求項１から１０までのいずれか１項に記載の管理装置。
【請求項１２】
ユーザの指示に応じて、コンテンツをユーザアカウントに対応させて通信ネットワーク上で公開するコンテンツ公開サービスを提供する管理装置の制御方法であって、
前記管理装置が、対象の商品に関するコンテンツと、当該対象の商品に関するサイトまたはアプリにアクセス可能なリンク機能を有するオブジェクトとを関連付けて前記コンテンツ公開サービスに投稿する投稿指示を、端末装置から受け付ける通信ステップと、
前記管理装置が、前記オブジェクトに関連付けられた前記コンテンツおよび前記オブジェクトを、前記コンテンツ公開サービスにおける表示画面に表示する表示画面作成ステップと、
前記管理装置が、前記投稿指示を行ったユーザのユーザアカウントに対し、有価情報を付与する付与ステップと、を含むことを特徴とする管理装置の制御方法。
【請求項１３】
請求項１から１１までのいずれか１項に記載の管理装置としてコンピュータを機能させるためのプログラムであって、前記通信部、前記表示画面作成部および前記付与部としてコンピュータを機能させるためのプログラム。
【請求項１４】
請求項１３に記載のプログラムを記録したコンピュータ読み取り可能な記録媒体。
【発明の詳細な説明】
【技術分野】
【０００１】
本発明は、ユーザの指示に応じて、画像をユーザアカウントに対応させて通信ネットワーク上で公開するコンテンツ公開サービスを提供する管理装置等に関する。
【背景技術】
【０００２】
コンテンツ公開サービスにおいて、対象の商品に関するコンテンツと、対象の商品に関するサイトまたはアプリにアクセス可能なリンク機能を有するオブジェクトとを関連付ける技術が知られている。例えば、ＳＮＳ等のコンテンツ公開サービスにおいて、対象の商品に関するコンテンツにタグ付けする技術が知られている。
【０００３】
より具体的には、特許文献１には、ユーザが、商品の陳列または商品の販売促進を行うための販売促進助成物に対し、当該商品の口コミ情報サイトにアクセス可能なタグを付ける技術が開示されている。また、特許文献１には、口コミ情報サイトを読んだ会員の顧客（他のユーザ）が商品の購入に至った場合、当該口コミ情報を投稿した会員（ユーザ）のユーザアカウントに対し、ポイントを付与する技術が開示されている。
【０００４】
また、特許文献１以外にも、例えば、対象の商品に関するコンテンツを投稿可能なコンテンツ公開サービスにおいて、対象の商品に関するコンテンツに対し、ユーザがタッチすることで当該商品に関する会社のサイトにアクセス可能なタグを付ける技術が知られている。
【先行技術文献】
【特許文献】
【０００５】
【特許文献１】特開２０１８−１６３６３２号公報（２０１８年１０月１８日公開）
【発明の概要】
【発明が解決しようとする課題】
【０００６】
上述のようなコンテンツ公開サービスを利用することをユーザにより動機付けることが求められている。
【０００７】
本発明は、上記の課題を解決するためになされたものであり、その目的は、コンテンツ公開サービスを利用することをユーザにより動機付け可能な管理装置およびその関連技術を提供することにある。
【課題を解決するための手段】
【０００８】
上記の課題を解決するために、本発明の一態様に係る管理装置は、ユーザの指示に応じて、コンテンツをユーザアカウントに対応させて通信ネットワーク上で公開するコンテンツ公開サービスを提供する管理装置であって、対象の商品に関するコンテンツと、当該対象の商品に関するサイトまたはアプリにアクセス可能なリンク機能を有するオブジェクトとを関連付けて前記コンテンツ公開サービスに投稿する投稿指示を、端末装置から受け付ける通信部と、前記オブジェクトに関連付けられた前記コンテンツおよび前記オブジェクトを、前記コンテンツ公開サービスにおける表示画面に表示する表示画面作成部と、前記投稿指示を行ったユーザのユーザアカウントに対し、有価情報を付与する付与部と、を備える。前記の構成によれば、コンテンツ公開サービスを利用することを、投稿指示を行ったユーザ（投稿者）等により動機付けることができる。
【０００９】
本発明の一態様に係る管理装置では、前記コンテンツは画像であってもよい。本発明の一態様に係る管理装置は、特に、コンテンツが画像である場合に、画像公開サービス等のコンテンツ公開サービスを利用することを、ユーザに動機付けることができる。
【００１０】
本発明の一態様に係る管理装置では、前記通信部は、前記投稿指示を行ったユーザのユーザアカウントに対して前記有価情報が付与された旨を、前記投稿指示を行ったユーザの端末装置に通知してもよい。前記の構成によれば、コンテンツ公開サービスへの画像の投稿意欲を、投稿者等のユーザに高めさせることができる。これにより、コンテンツ公開サービスを利用することを、投稿者等のユーザにより動機付けることができる。
【００１１】
本発明の一態様に係る管理装置では、前記付与部は、前記オブジェクトを介してアクセスされた前記対象の商品に関するサイトまたはアプリにおいて商品が購入された場合、前記投稿指示を行ったユーザのユーザアカウントに対し、前記有価情報を付与してもよい。前記の構成によれば、コンテンツ公開サービスを利用することを、投稿者等のユーザにより動機付けることができる。
【００１２】
本発明の一態様に係る管理装置では、前記通信部は、前記オブジェクトを介してアクセスされた前記対象の商品に関するサイトまたはアプリにおいてユーザが商品を購入した場合、前記投稿指示を行ったユーザのユーザアカウントに対して前記有価情報が付与された旨を、前記商品を購入したユーザの端末装置に通知してもよい。前記の構成によれば、コンテンツ公開サービスへの画像の投稿意欲を、商品を購入したユーザ（購入者）に高めさせることができる。これにより、コンテンツ公開サービスを利用することを、購入者等のユーザにより動機付けることができる。
【００１３】
本発明の一態様に係る管理装置では、前記コンテンツ公開サービスはソーシャルネットワークサービスであってもよい。前記の構成によれば、端末装置のユーザは、コンテンツ公開サービス上に個人のアカウントを有し、他のユーザと好適にコミュニケーションすることができる。
【００１４】
本発明の一態様に係る管理装置では、前記表示画面作成部は、前記表示画面に表示された前記コンテンツ上に前記オブジェクトを表示させてもよい。前記の構成によれば、コンテンツ外よりもコンテンツの近傍にオブジェクトが表示されるため、視認性を向上させることができる。
【００１５】
本発明の一態様に係る管理装置では、前記コンテンツにおける対象の商品と、前記オブジェクトからアクセス可能なサイトまたはアプリにおける対象の商品とが一致しているか否かを判定する判定部をさらに備え、前記判定部は、前記コンテンツにおける対象の商品と、前記オブジェクトからアクセス可能なサイトまたはアプリにおける対象の商品とが一致していないと判定した場合、前記コンテンツまたは前記オブジェクトを削除してもよい。前記の構成によれば、投稿者のユーザアカウントに対し、誤って有価情報を付与することを防止できる。
【００１６】
本発明の一態様に係る管理装置では、複数の同じコンテンツが前記コンテンツ公開サービスに投稿されたか否かを判定する判定部をさらに備え、前記判定部は、前記複数の同じコンテンツが前記コンテンツ公開サービスに投稿されたと判定した場合、当該投稿を無効にしてもよい。前記の構成によれば、例えば、同じコンテンツのうちのいずれかが盗用されたものである場合、盗用されたコンテンツを投稿した投稿者のユーザアカウントに対し、誤って有価情報を付与することを防止できる。
【００１７】
本発明の一態様に係る管理装置では、前記付与部は、前記投稿指示を行ったユーザのユーザアカウントに対し、前記コンテンツに関連付けられた前記オブジェクトの数に応じた有価情報を付与してもよい。前記の構成によれば、コンテンツにオブジェクトを関連付けることを投稿者等のユーザにより動機付けることができる。これにより、コンテンツ公開サービスを利用することを投稿者等のユーザにさらに動機付けることができる。
【００１８】
本発明の一態様に係る管理装置では、前記表示画面作成部は、前記通信部を介して、前記コンテンツと、当該コンテンツに含まれる対象の商品に関する前記オブジェクトとを関連付けることを前記端末装置のユーザに提案してもよい。前記の構成によれば、前記関連付けをより容易に行うことができる。
【００１９】
上記の課題を解決するために、本発明の一態様に係る管理装置の制御方法は、ユーザの指示に応じて、コンテンツをユーザアカウントに対応させて通信ネットワーク上で公開するコンテンツ公開サービスを提供する管理装置の制御方法であって、前記管理装置が、対象の商品に関するコンテンツと、当該対象の商品に関するサイトまたはアプリにアクセス可能なリンク機能を有するオブジェクトとを関連付けて前記コンテンツ公開サービスに投稿する投稿指示を、端末装置から受け付ける通信ステップと、前記管理装置が、前記オブジェクトに関連付けられた前記コンテンツおよび前記オブジェクトを、前記コンテンツ公開サービスにおける表示画面に表示する表示画面作成ステップと、前記管理装置が、前記投稿指示を行ったユーザのユーザアカウントに対し、有価情報を付与する付与ステップと、を含む。前記の構成によれば、コンテンツ公開サービスを利用することをユーザにより動機付けることができる。
【００２０】
本発明の各態様に係る管理装置は、コンピュータによって実現してもよく、この場合には、コンピュータを前記管理装置が備える各部（ソフトウェア要素）として動作させることにより前記管理装置をコンピュータにて実現させる管理装置のプログラム、およびそれを記録したコンピュータ読み取り可能な記録媒体も、本発明の範疇に入る。
【発明の効果】
【００２１】
本発明の一態様によれば、コンテンツ公開サービスを利用することをユーザにより動機付け可能な管理装置およびその関連技術を提供することができる。
【図面の簡単な説明】
【００２２】
【図１】本発明の実施形態に係る撮像画像管理システムの要部構成を示すブロック図である。
【図２】本発明の実施形態に係る撮影画像管理システムの構成を示す図である。
【図３】本発明の実施形態に係る写真シール作成装置の外観の構成例を示す斜視図である。
【図４】本発明の実施形態に係る写真シール作成装置の外観を他の角度からみた斜視図である。
【図５】本発明の実施形態におけるユーザの移動について説明する図である。
【図６】本発明の実施形態に係る写真シール作成装置に備えられる撮影部の構成例を示す図である。
【図７】本発明の実施形態に係る写真シール作成装置に備えられる背景部の構成例を示す図である。
【図８】本発明の実施形態に係る写真シール作成装置に備えられる編集部の構成例を示す図である。
【図９】本発明の実施形態に係る写真シール作成装置に備えられる事後接客部の構成例を示す図である。
【図１０】本発明の実施形態に係る写真シール作成装置の内部の構成例を示すブロック図である。
【図１１】本発明の実施形態に係る会員データベースの例を示す図である。
【図１２】本発明の実施形態に係る画像保存判定データベースの例を示す図である。
【図１３】本発明の実施形態に係るオブジェクトが関連付けられた画像の投稿の一例を説明するための図である。
【図１４】本発明の実施形態に係るオブジェクトが関連付けられた画像の投稿の一例を説明するための図である。
【図１５】本発明の実施形態に係るオブジェクトが関連付けられた画像の投稿の一例を説明するための図である。
【図１６】本発明の実施形態に係るオブジェクトを介してアクセスされた対象の商品に関するサイトにおける商品の購入の一例を説明するための図である。
【図１７】本発明の実施形態に係るオブジェクトを介してアクセスされた対象の商品に関するサイトにおける商品の購入の一例を説明するための図である。
【図１８】本発明の実施形態に係るオブジェクトを介してアクセスされた対象の商品に関するサイトにおける商品の購入の一例を説明するための図である。
【図１９】本発明の実施形態に係る画像における対象の商品と、オブジェクトからアクセス可能なサイトにおける対象の商品とが一致しているか否かの判定の一例を説明するための図である。
【図２０】本発明の実施形態に係る画像における対象の商品と、オブジェクトからアクセス可能なサイトにおける対象の商品とが一致しているか否かの判定の一例を説明するための図である。
【図２１】本発明の実施形態に係る管理サーバの制御処理の流れの一例を示すフローチャートである。
【発明を実施するための形態】
【００２３】
〔実施形態〕
本発明の実施形態について、図１〜図２１を参照して以下に説明する。以下の特定の実施形態で説明する構成以外の構成については、必要に応じて説明を省略する場合があるが、他の実施形態で説明されている場合は、その構成と同じである。また、説明の便宜上、各実施形態に示した部材と同一の機能を有する部材については、同一の符号を付し、適宜その説明を省略する。さらに、各図面に記載した構成の形状、ならびに、長さ、大きさおよび幅等の寸法は、実際の形状および寸法を反映させたものではなく、図面の明瞭化と簡略化のために適宜変更している。
【００２４】
（撮影画像管理システム１０）
図２は、本発明の実施形態に係る撮影画像管理システム１０の構成を示す図である。図２に示すように、撮影画像管理システム１０は、写真シール作成装置１、携帯端末（端末装置）６、および管理サーバ（サーバ）４を備えている。
【００２５】
撮影画像管理システム１０の概要について、以下に説明する。撮影画像管理システム１０は、ユーザの写真撮影、画像の編集、画像の写真シールとしての印刷、および画像提供サイトへの画像の保存を実現するサービス（画像管理サービス）をユーザに提供する。写真撮影、画像編集、および写真シール印刷のサービスは、ゲームセンター等の店舗に設置された写真シール作成装置１によって提供される。画像保存のサービスは、画像提供サイトを管理する管理サーバ４によって提供される。ユーザは、自身が所持する携帯端末６を操作することによって、自身の撮影画像を画像提供サイトに保存することができる。
【００２６】
画像提供サイトへの画像の保存には、事前の会員登録が必要である。ユーザは、無料会員として自身を画像提供サイトに登録する。無料会員は、会費を支払う必要がないが、画像提供サイトは保存できる画像の枚数に制限を受ける。本実施形態では、無料会員は、一回のゲームごとに一枚の画像のみを画像提供サイトに保存できる。
【００２７】
ユーザは、自身の会員属性を、無料会員から有料会員に変更することができる。有料会員は、一定の会費を継続的に支払う必要がある代わりに、画像提供サイトに無制限に画像を保存できる。本実施形態では、一回の写真撮影によって生成された撮影画像を全て画像提供サイトに保存できる。
【００２８】
撮影画像管理システム１０における写真撮影から画像保存までの流れについて、以下に簡潔に説明する。一人または複数人のユーザは、代金を写真シール作成装置１に支払い、写真撮影および画像編集に関するゲームをプレイする。ユーザはゲーム中に自身を被写体として撮影する。ユーザは、撮影によって生成された画像の中から、編集対象の画像をいくつか選択し、好きなように編集する。また、ユーザは、後で画像を画像提供サイトに保存するために、写真シール作成装置１に自身のメールアドレスを入力する。
【００２９】
ゲームの終了後、ユーザは写真シールを手に入れる。一方、写真シール作成装置１は、生成した画像に、入力されたユーザのメールアドレスを関連付けて、管理サーバ４に送信する。管理サーバ４は、受信したメールアドレス宛に、受信した画像を画像提供サイトに保存することを案内するメールを送信する。ユーザは、自身の携帯端末６においてこのメールを受信する。メールには、画像を画像提供サイトに保存するための手順が、記載されている。ユーザは、その手順に従い、画像を保存するための操作を携帯端末６に対して行う。この結果、画像提供サイトにおけるユーザ専用の画像記憶領域に、画像が保存される。
【００３０】
画像提供サイトへの画像保存後、ユーザは、携帯端末６または所望の他の装置を用いて画像提供サイトにログインして、画像をダウンロードすることができる。
【００３１】
（写真シール作成装置の構成）
撮影画像管理システム１０を構成する各装置の構成および機能について、以下に詳細に説明する。まず、写真シール作成装置１の詳細について、図３〜図１０を参照して説明する。図３は、本発明の実施形態に係る写真シール作成装置１の外観の構成例を示す斜視図である。この図に示すように、写真シール作成装置１は、主に、撮影ユニット１１、編集部１２、および事後接客部１３を備えている。写真シール作成装置１は、撮影ユニット１１と編集部１２とが接し、かつ、編集部１２と事後接客部１３とが接した状態で設置される。
【００３２】
（撮影ユニット１１）
撮影ユニット１１は、撮影部２１および背景部２２を備えている。撮影部２１と背景部２２とは、所定の距離だけ離れて設置される。撮影部２１と背景部２２との間に形成される空間である撮影空間において、撮影制御が行われる。
【００３３】
撮影部２１は、撮影制御をユーザに行わせる装置である。撮影部２１は、撮影空間に入り、撮影制御を行っているユーザの正面に位置する。撮影空間を正面に望む面を構成する撮影部２１の正面パネル４１には、撮影制御時にユーザによって用いられるタッチパネルモニタ等が設けられる。撮影空間にいるユーザから見て左側の面を左側面、右側の面を右側面とすると、撮影部２１の左側面が側面パネル４２Ａによって構成され、右側面が側面パネル４２Ｂによって構成される。
【００３４】
背景部２２は、正面を向いて撮影制御を行っているユーザの背面側に位置する板状の部材である背面パネル５１、背面パネル５１の左端に取り付けられ、側面パネル４２Ａより横幅の狭い板状の部材である側面パネル５２Ａ、および、背面パネル５１の右端に取り付けられ、側面パネル４２Ｂより横幅の狭い板状の部材である側面パネル５２Ｂ（図４）から構成される。
【００３５】
撮影部２１の左側面を構成する側面パネル４２Ａおよび背景部２２の側面パネル５２Ａは、ほぼ同一平面に設けられ、それぞれの上部が板状の部材である連結部２３Ａによって連結される。また、撮影部２１の右側面を構成する側面パネル４２Ｂおよび背景部２２の側面パネル５２Ｂは、ほぼ同一平面に設けられ、それぞれの上部が板状の部材である連結部２３Ｂによって連結される。
【００３６】
撮影部２１の側面パネル４２Ａ、連結部２３Ａ、および背景部２２の側面パネル５２Ａに囲まれることによって形成される開口が撮影空間の出入り口Ｇ１となる。撮影部２１の側面パネル４２Ｂ、連結部２３Ｂ、および背景部２２の側面パネル５２Ｂに囲まれることによって形成される開口も撮影空間の出入り口Ｇ２となる。
【００３７】
背景部２２の上部には、背面パネル５１、側面パネル５２Ａ、および側面パネル５２Ｂに支持される形で背景カーテンユニット２５が設けられる。背景カーテンユニット２５には、色または柄の異なる、背景に利用する巻き取り式の背景カーテンが複数収納される。背景カーテンユニット２５は、撮影部２１に設けられたカメラ等による撮影と連動して動作し、撮影の際に、例えばユーザによって選択された色のカーテンを下ろし、その他のカーテンを巻き取る。
【００３８】
背景カーテンユニット２５に収納される背景カーテンとしては、複数枚のカーテンを１枚のクロマキ用のカーテンとして使用する昇降式カーテンを用意してもよい。また、クロマキ用のカーテンを予め撮影空間の背面となる背面パネル５１に張り付けると共に、合成用の背景画像を複数種類用意し、後述する編集制御において、ユーザが所望する背景画像をカーテンの部分に合成できるようにしてもよい。
【００３９】
撮影空間の上方には、撮影部２１の正面パネル４１、連結部２３Ａ、連結部２３Ｂ、および背景カーテンユニット２５に囲まれる開口が形成され、その開口の一部を覆うように天井ストロボユニット２４が設けられる。天井ストロボユニット２４の一端が連結部２３Ａに固定され、他端が連結部２３Ｂに固定される。天井ストロボユニット２４は、撮影に合わせて撮影空間内に向けて発光するストロボを内蔵する。天井ストロボユニット２４を構成するストロボの内部には蛍光灯が設けられており、撮影空間の照明としても機能する。
【００４０】
（編集部１２）
編集部１２は、撮影制御によって得られた画像を編集する処理である編集制御をユーザに行わせる装置である。編集部１２は、一方の側面が撮影部２１の正面パネル４１の背面に接するように撮影ユニット１１に連結して設けられる。編集部１２には、編集制御時にユーザによって用いられるタブレット内蔵モニタ等の構成が設けられる。
【００４１】
図３に示す編集部１２の構成を正面側の構成とすると、２組のユーザが同時に編集することができるように、編集部１２の正面側と背面側には編集制御に用いられる構成がそれぞれ設けられる。
【００４２】
編集部１２の正面側は、床面に対して垂直な面であり、側面パネル４２Ａとほぼ平行な面である面７１と、面７１の上方に形成された斜面７２から構成され、編集制御に用いられる構成が斜面７２に設けられる。斜面７２の左側には、柱状の形状を有し、照明装置７４の一端を支持する支持部７３Ａが設けられる。支持部７３Ａの上面にはカーテンレール２６を支持する支持部７５が設けられる。斜面７２の右側にも、照明装置７４の他端を支持する支持部７３Ｂ（図４）が設けられる。
【００４３】
編集部１２の上方にはカーテンレール２６が取り付けられる。カーテンレール２６は、上から見たときの形状がコの字状となるように３本のレール２６Ａ〜２６Ｃを組み合わせて構成される。平行に設けられるレール２６Ａと２６Ｂの一端は、連結部２３Ａと連結部２３Ｂにそれぞれ固定され、他端に残りの一本のレール２６Ｃの両端が接合される。
【００４４】
カーテンレール２６には、編集部１２の正面前方の空間と背面前方の空間の内部が外から見えないようにカーテンが取り付けられる。カーテンレール２６に取り付けられたカーテンによって囲まれる編集部１２の正面前方の空間および背面前方の空間が、ユーザが編集制御を行う編集空間となる。
【００４５】
（事後接客部１３）
図４は、写真シール作成装置の外観を他の角度からみた斜視図である。事後接客部１３は事後接客を行い、ユーザに事後接客に対する操作を行わせる装置である。事後接客には、画像（編集済みの画像を含む）を管理サーバ４に送信する処理、ミニゲームをユーザに行わせる処理、アンケートに答えさせる処理等が含まれる。
【００４６】
図４に示すように、事後接客部１３は、所定の厚さを有する板状の筐体を有しており、その背面が編集部１２の左側面に接するように編集部１２に連結して設けられる。事後接客部１３の正面には、事後接客に対する操作時にユーザによって用いられるタブレット内蔵モニタ、および、画像（編集済みの画像を含む）が印刷されたシール紙が排出される排出口等が設けられる。事後接客部１３の正面前方の空間が、シール紙への印刷が終わるのを待っているユーザが事後接客に対する操作を行う事後接客空間となる。
【００４７】
（ユーザの移動）
写真シール作成ゲームの流れと、それに伴うユーザの移動について図５を参照して説明する。図５は、ユーザの移動について説明する図である。
【００４８】
写真シール作成装置１のユーザは、白抜き矢印＃１で示すように出入り口Ｇ１から、または白抜き矢印＃２で示すように出入り口Ｇ２から、撮影部２１と背景部２２の間に形成された撮影空間Ａ１に入り、撮影部２１に設けられたカメラおよびタッチパネルモニタ等を利用して撮影制御を行う。
【００４９】
なお、ユーザの画像の撮影においては、すべての撮影がシール紙に印刷される画像を撮影するものとは限らず、携帯端末６に送信するため（または、携帯端末６において閲覧可能なように、管理サーバ４に送信するため）にのみ撮影される場合もある。これは、印刷される画像と携帯端末６に送信される画像との間でユーザの嗜好が異なることがあるためであり、ユーザの撮影時において、携帯端末６への送信を意識した撮影をしたいユーザの意向にこたえるものである。
【００５０】
撮影制御を終えたユーザは、白抜き矢印＃３で示すように出入り口Ｇ１を使って撮影空間Ａ１から出て編集空間Ａ２−１に移動するか、白抜き矢印＃４で示すように出入り口Ｇ２を使って撮影空間Ａ１から出て編集空間Ａ２−２に移動する。
【００５１】
編集空間Ａ２−１は、編集部１２の正面側の編集空間であり、編集空間Ａ２−２は、編集部１２の背面側の編集空間である。編集空間Ａ２−１および編集空間Ａ２−２のいずれの空間に移動するのかが、撮影部２１のタッチパネルモニタの画面表示等によって案内される。例えば２つの編集空間のうちの空いている方の空間が移動先として案内される。編集空間Ａ２−１または編集空間Ａ２−２に移動したユーザは編集制御を開始する。編集空間Ａ２−１のユーザおよび編集空間Ａ２−２のユーザは同時に編集制御を行うことができる。
【００５２】
編集制御が終了した後、画像（編集済みの画像を含む）の中から選択された画像の印刷が開始される。画像の印刷中、編集制御を終えたユーザは、編集空間Ａ２−１で編集制御を行っていた場合には白抜き矢印＃５で示すように編集空間Ａ２−１から事後接客空間Ａ３に移動して事後接客を受け、当該事後接客に対する操作を行う。また、編集制御を終えたユーザは、編集空間Ａ２−２で編集制御を行っていた場合には白抜き矢印＃６で示すように編集空間Ａ２−２から事後接客空間Ａ３に移動し、事後接客空間Ａ３において事後接客を受け、当該事後接客に対する操作を行う。
【００５３】
画像の印刷が終了したとき、ユーザは、事後接客部１３に設けられた排出口からシール紙を受け取り、一連の写真シール作成ゲームを終えることになる。
【００５４】
（各部材の構成）
次に、写真シール作成装置１に備えられる各部材の構成について説明する。
【００５５】
（撮影部２１）
図６は、写真シール作成装置１に備えられる撮影部２１の構成例を示す図である。撮影部２１は、正面パネル４１、側面パネル４２Ａ、および側面パネル４２Ｂが、箱状の形状を有するベース部４３に取り付けられることによって構成される。
【００５６】
正面パネル４１は撮影空間Ａ１で撮影制御を行うユーザの正面に位置し、側面パネル４２Ａと側面パネル４２Ｂは、それぞれ、撮影空間Ａ１で撮影制御を行うユーザの左側、右側に位置する。側面パネル４２Ａの上方には連結部２３Ａが固定され、側面パネル４２Ｂの上方には連結部２３Ｂが固定される。
【００５７】
正面パネル４１のほぼ中央には撮影・表示ユニット８１が設けられる。撮影・表示ユニット８１は、カメラ９１、正面ストロボ９２、およびタッチパネルモニタ９３から構成される。
【００５８】
カメラ９１は、ＣＣＤ（Charge Coupled Device）またはＣＭＯＳ（Complementary metal-oxide semiconductor）等の撮像素子によって構成され、撮影空間Ａ１にいるユーザを撮影する。カメラ９１によって取り込まれた動画像は、タッチパネルモニタ９３にリアルタイムで表示される。ユーザによって撮影が指示されたとき等の所定のタイミングでカメラ９１によって取り込まれた画像は画像（静止画像）として保存される。
【００５９】
カメラ９１の下側に設けられたタッチパネルモニタ９３は、ＬＣＤ（Liquid Crystal Display）等のモニタと、それに積層されたタッチパネルによって構成される。タッチパネルモニタ９３は、カメラ９１によって取り込まれた動画像を表示するライブビューモニタとしての機能と、各種のＧＵＩ（Graphical User Interface）画像を表示し、ユーザの選択操作をタッチパネルによって受け付ける機能とを備えている。タッチパネルモニタ９３には、適宜、背景等の画像が合成された後の動画像が表示される。
【００６０】
正面パネル４１には、撮影・表示ユニット８１の位置を基準として、上方に上ストロボ８２が設置される。また、左方に左ストロボ８３が設置され、右方に右ストロボ８４が設置される。撮影・表示ユニット８１の下方の位置には、ベース部４３の上面が一部突出する形で下ストロボ８５が設けられる。
【００６１】
上ストロボ８２は、ユーザを上前方から照射する。左ストロボ８３は、ユーザを左前方から照射し、右ストロボ８４は、ユーザを右前方から照射する。下ストロボ８５は、ユーザを下前方から照射する。
【００６２】
ベース部４３にはユーザの足元を照射する足元ストロボ８６も設けられる。上ストロボ８２、左ストロボ８３、右ストロボ８４、下ストロボ８５、および足元ストロボ８６の内部には蛍光灯が設けられており、天井ストロボユニット２４を構成するストロボの内部の蛍光灯と合わせて、撮影空間Ａ１内の照明として用いられる。後述するように、各蛍光灯の発光量を調整することによって、または、発光させる蛍光灯の数を調整することによって、撮影空間Ａ１内の明るさが、ユーザが行っている撮影制御の内容に応じて適宜調整される。
【００６３】
足元ストロボ８６の右側には、ユーザがお金を投入する硬貨投入返却口８７が設けられる。
【００６４】
下ストロボ８５を挟んでベース部４３の上面の左右に形成されるスペース４３Ａおよび４３Ｂは、撮影制御を行うユーザが手荷物等を置くための荷物置場として用いられる。正面パネル４１の例えば天井付近には、撮影制御の案内音声、ＢＧＭ（Back Ground Music）および効果音等の音を出力するスピーカも設けられる。
【００６５】
（背景部２２）
図７は、写真シール作成装置１に備えられる背景部２２の構成例を示す図である。上述したように、背面パネル５１の上方には背景カーテンユニット２５が設けられる。背景カーテンユニット２５のほぼ中央には、撮影空間Ａ１内で撮影制御を行っているユーザを後方中央から照射する背面中央ストロボ１０１が取り付けられる。
【００６６】
背面パネル５１の上方であって、出入り口Ｇ１側の位置には、撮影空間Ａ１内で撮影制御を行っているユーザを左後方から照射する背面左ストロボ１０２が取り付けられる。また、背面パネル５１の上方であって、出入り口Ｇ２側の位置には、撮影空間Ａ１内で撮影制御を行っているユーザを右後方から照射する背面右ストロボ１０３が取り付けられる。
【００６７】
（編集部１２）
図８は、写真シール作成装置１に備えられる編集部１２の構成例を示す図である。この図に示すように、編集部１２において、斜面７２のほぼ中央には、タブレット内蔵モニタ１３１が設けられる。タブレット内蔵モニタ１３１を挟んで左側にタッチペン１３２Ａが設けられ、右側にタッチペン１３２Ｂが設けられる。
【００６８】
タブレット内蔵モニタ１３１は、タッチペン１３２Ａおよび１３２Ｂを用いて操作入力が可能なタブレットがＬＣＤ等のモニタに重畳して設けられることによって構成される。タブレット内蔵モニタ１３１には、例えば、編集対象画像として選択された画像の編集に用いられる画面である編集画面が表示される。２人で同時に編集作業を行う場合、タッチペン１３２Ａは一方のユーザによって用いられ、タッチペン１３２Ｂは他方のユーザによって用いられる。
【００６９】
なお、編集部１２において行われる画像の編集は、すべてが印刷される画像に対する編集であるとは限らず、ユーザが携帯端末６への送信のみを想定している画像（つまり、印刷されない画像）に対する編集である場合もある。これは、印刷される画像と携帯端末６へ送信されてｗｅｂ上で利用される画像との間で、ユーザの嗜好に違いがあり、例えばブログ等に利用する画像等に対して、印刷される画像に対する編集とは異なる編集をしたいというユーザの意向にこたえるためのものである。
【００７０】
（事後接客部１３）
編集部１２の左側には事後接客部１３が設けられる。図９は、写真シール作成装置１に備えられる事後接客部１３の構成例を示す図である。
【００７１】
事後接客部１３の上方中央にはタブレット内蔵モニタ１６１が設けられる。タブレット内蔵モニタ１６１を挟んで左側にタッチペン１６２Ａが設けられ、右側にタッチペン１６２Ｂが設けられる。タブレット内蔵モニタ１６１もタブレット内蔵モニタ１３１と同様に、タッチペン１６２Ａまたは１６２Ｂを用いて操作入力が可能なタブレットがＬＣＤ等のモニタに重畳して設けられることによって構成される。タブレット内蔵モニタ１６１には、ミニゲーム等の事後接客の工程において用いられる画面が表示される。
【００７２】
タブレット内蔵モニタ１６１の下には非接触型ＩＣリーダ／ライタ１６３が設けられ、非接触型ＩＣリーダ／ライタ１６３の下にはシール紙排出口１６４が設けられる。シール紙排出口１６４の下にはスピーカ１６５が設けられる。
【００７３】
非接触型ＩＣリーダ／ライタ１６３は、近接された非接触型ＩＣと通信を行い、非接触型ＩＣからのデータの読み出しおよび非接触型ＩＣに対するデータの書き込みを行う。
【００７４】
シール紙排出口１６４には、編集空間Ａ２−１のユーザが編集制御を行うことによって作成した画像が印刷されたシール紙、または、編集空間Ａ２−２のユーザが編集制御を行うことによって作成した画像が印刷されたシール紙が排出される。編集部１２の内部にはプリンタが設けられており、画像の印刷がそのプリンタによって行われる。
【００７５】
スピーカ１６５は、事後接客時の案内音声、ＢＧＭおよび効果音等の音を出力する。
【００７６】
（写真シール作成装置１の内部構成）
次に、写真シール作成装置１の内部構成について説明する。図１０は、写真シール作成装置１の内部の構成例を示すブロック図である。上述した構成と同じ構成には同じ符号を付す。重複する説明については適宜省略する。
【００７７】
制御部２０１は、ＣＰＵ（Central Processing Unit）等から構成され、ＲＯＭ（Read Only Memory）２０６または記憶部２０２に記憶されているプログラムを実行し、写真シール作成装置１の全体の動作を制御する。制御部２０１には、記憶部２０２、通信部２０３、ドライブ２０４、ＲＯＭ２０６、ＲＡＭ（Random Access Memory）２０７が接続される。制御部２０１には、撮影部２１、編集部１２、事後接客部１３、および印刷部２１１の各構成も接続される。
【００７８】
記憶部２０２は、ハードディスクまたはフラッシュメモリ等の不揮発性の記憶媒体からなり、制御部２０１から供給された各種の設定情報を記憶する。記憶部２０２に記憶されている情報は制御部２０１によって適宜読み出される。
【００７９】
通信部２０３はインターネット等のネットワークのインタフェースであり、制御部２０１による制御に従って外部の装置と通信を行う。
【００８０】
ドライブ２０４には、光ディスクまたは半導体メモリ等よりなるリムーバブルメディア２０５が適宜装着される。ドライブ２０４によってリムーバブルメディア２０５から読み出されたコンピュータプログラムおよびデータは、制御部２０１に供給され、記憶部２０２に記憶されたり、インストールされたりする。
【００８１】
ＲＯＭ２０６には、制御部２０１において実行されるプログラムおよびデータが記憶されている。ＲＡＭ２０７は、制御部２０１が処理するデータおよびプログラムを一時的に記憶する。
【００８２】
撮影部２１は、撮影空間Ａ１におけるユーザの撮影制御に関する処理を行う。撮影部２１は、硬貨処理部２２１、背景制御部２２２、照明制御部２２３、カメラ９１、タッチパネルモニタ９３、およびスピーカ２２４から構成される。
【００８３】
硬貨処理部２２１は、硬貨投入返却口８７に対する硬貨の投入を検出する。硬貨処理部２２１は、例えば３００円等の所定の金額分の硬貨が投入されたことを検出した場合、そのことを表す起動信号を制御部２０１に出力する。
【００８４】
背景制御部２２２は、制御部２０１より供給される背景制御信号に従って背景カーテンユニット２５に収納されている背景カーテンの上げ下ろしを行う。背景カーテンの選択がユーザによって手動で行われるようにしてもよい。
【００８５】
照明制御部２２３は、制御部２０１より供給される照明制御信号に従って、撮影空間Ａ１内の各ストロボの発光を制御する。上述したように、撮影空間Ａ１には、天井ストロボユニット２４のストロボの他に、撮影部２１に設けられる上ストロボ８２、左ストロボ８３、右ストロボ８４、下ストロボ８５および足元ストロボ８６と、背景部２２に設けられる背面中央ストロボ１０１、背面左ストロボ１０２および背面右ストロボ１０３とが設けられる。各ストロボの内部には蛍光灯も設けられる。
【００８６】
また、照明制御部２２３は、各ストロボの内部に設けられる蛍光灯の発光量を調整することによって、または、発光させる蛍光灯の数を調整することによって、ユーザが行っている撮影制御の段階に応じて撮影空間Ａ１内の明るさを調整する。
【００８７】
カメラ９１は、制御部２０１による制御に従って撮影を行い、撮影によって得られた画像（画像）を制御部２０１に出力する。また、カメラ９１は、後述するユーザ認証を行う場合、ユーザの身体の一部、ユーザの姿勢（ポーズ）、または、ユーザの動き（ジェスチャー）を静止画または動画として撮影することにより、画像認証に係る情報（画像認証情報）を生成するための画像（認証用画像）を撮影し、制御部２０１に送信してもよい。
【００８８】
編集部１２Ａは、編集空間Ａ２−１におけるユーザの編集制御に関する処理を行う。編集部１２Ａは、編集部１２の正面側に設けられるタブレット内蔵モニタ１３１、タッチペン１３２Ａ、１３２Ｂ、およびスピーカ２３１から構成される。編集部１２Ｂも編集部１２Ａと同一の構成を有しており、編集空間Ａ２−２におけるユーザの編集制御に関する処理を行う。
【００８９】
タブレット内蔵モニタ１３１は、制御部２０１による制御に従って編集画面を表示し、編集画面に対するユーザの操作を検出する。ユーザの操作の内容を表す信号は制御部２０１に供給され、編集対象の画像の編集が行われる。
【００９０】
事後接客部１３は、事後接客空間Ａ３における事後接客に関する処理を行う。事後接客部１３は、タブレット内蔵モニタ１６１、タッチペン１６２Ａ、１６２Ｂ、非接触型ＩＣリーダ／ライタ１６３、およびスピーカ１６５から構成される。
【００９１】
印刷部２１１は、印刷制御を行う構成であるプリンタ２４１、およびシール紙ユニット２４２から構成される。プリンタ２４１は、画像、またはユーザによる編集制御によって得られた編集済みの画像を、プリンタ２４１に装着されたシール紙ユニット２４２に収納されているシール紙に印刷し、シール紙排出口１６４に排出する。一点鎖線で囲んで示す事後接客部１３および印刷部２１１が、事後接客空間Ａ３にいるユーザを相手とした事後接客に関する処理を行う構成となる。
【００９２】
また、印刷部２１１は、印刷制御に係る処理において、シール紙への撮影画像（または編集画像）の印刷に加え、欄外（シール紙の端部等）に、管理サーバ４へ送信した画像を取得するためのＵＲＬ（Uniform Resource Locater）、および、シールＩＤ（画像取得用ＩＤ）等を印刷してもよい。シールＩＤとは、写真シール作成装置１において１ゲーム中に生成された１または複数の画像（撮影画像および編集画像を含む）を一義的に特定するための識別子であり、ユーザが１ゲーム中に生成された画像を取得するための識別子である。ユーザは、画像を取得するためのＵＲＬにアクセスし、シールＩＤを入力することにより、写真シール作成装置１において１ゲーム中に生成された画像を取得するためのウェブページ（画像取得用ページ）を携帯端末６に表示させることができる。
【００９３】
これは、例えば、事後接客部１３等においてユーザからメールアドレスの入力を受け付ける際に、タイムアウトまたはミス入力により正しいアドレスを受け付けることができず、画像を取得するためのＵＲＬ等の情報をユーザに送信することができない場合等に、シール紙に印刷されているＵＲＬにアクセスしてシールＩＤを入力することによりユーザが画像を取得できるようにするためである。
【００９４】
なお、印刷部２１１は、画像を取得するための情報として、ＵＲＬではなく、例えば、所定のメールアドレスまたはＱＲコード（登録商標）等を印刷してもよい。所定のメールアドレスが印刷されている場合には、ユーザは、当該所定のメールアドレスに空メールを送信することにより、画像を取得するためのＵＲＬが記載されたメールを管理サーバ４から受信することができる。また、シール紙にＱＲコード（登録商標）が印刷されている場合には、ユーザは、携帯端末６を用いてＱＲコード（登録商標）の示すウェブページへアクセスすることにより、画像取得用ページへ直接アクセスすることもできる。
【００９５】
（管理サーバ４）
管理サーバ（管理装置）４は、ユーザの指示に応じて、コンテンツをユーザアカウントに対応させて通信ネットワーク上で公開するコンテンツ公開サービスを提供する管理装置である。コンテンツとしては、例えば、画像（例えば、静止画または動画等）および文字等が挙げられる。管理サーバ４は、コンテンツが画像である場合に、特に、コンテンツが画像である場合に、画像公開サービス等のコンテンツ公開サービスを利用することを、ユーザに動機付けることができる。以下では、コンテンツが画像であり、コンテンツ公開サービスが画像公開サービスである場合について説明する。
管理サーバ４の詳細について、図１を参照して説明する。図１は、本発明の実施形態に係る管理サーバ４の要部構成を示すブロック図である。この図に示すように、管理サーバ４は、主に、制御部４０１、記憶部４０２、および通信部４０３を備えている。制御部４０１は、管理サーバ４に備えられる各部材を統括制御する。記憶部４０２は、管理サーバ４において使用される各種データを記憶する。通信部４０３は、撮影画像管理システム１０を構成する他の装置と通信する。
【００９６】
なお、管理サーバ４は、記憶部４０２の会員データベース４２２に格納された会員情報を写真シール作成装置１に定期的に送信してもよい。なお、写真シール作成装置１が、会員情報を定期的にダウンロードしてもよい。この場合、管理サーバ４と写真シール作成装置１とは、通信負荷が比較的少ない午前中または夜間に通信を行い、会員情報を送受信することが望ましい。
【００９７】
（通信部４０３の詳細）
通信部４０３は、対象の商品に関する画像（コンテンツ）と、当該対象の商品に関するサイトまたはアプリにアクセス可能なリンク機能を有するオブジェクトとを関連付けて画像公開サービス（コンテンツ公開サービス）に投稿する投稿指示を、携帯端末６の通信部６０９から受け付ける。
【００９８】
対象の商品に関するサイトとしては、例えば、ＥＣサイト等が挙げられる。
【００９９】
対象の商品に関するサイトまたはアプリにアクセス可能なリンク機能を有するオブジェクトとしては、例えば、タグ等が挙げられる。オブジェクトは文字であってもよいし、画像であってもよい。
【０１００】
画像公開サービス（コンテンツ公開サービス）は、対象の商品に関するコンテンツが投稿されるサービスである。画像公開サービスとしては、例えば、ソーシャルネットワークサービス（ＳＮＳ）等のＷＥＢサービスが挙げられる。より具体的には、ＳＮＳである画像提供サイトが挙げられる。画像公開サービスがＳＮＳである場合、携帯端末６のユーザは、当該画像公開サービス上に個人のアカウントを有し、他のユーザと好適にコミュニケーションすることができる。
【０１０１】
（制御部４０１の詳細）
図１に示すように、制御部４０１は、通信制御部４１１、メール作成部４１２、ウェブページ作成部（表示画面作成部）４１３、画像管理部（保存処理部）４１４、認証部４１５、付与部４１６および判定部４１７を備えている。
【０１０２】
（通信制御部４１１）
通信制御部４１１は、通信部４０３による通信を制御する。
【０１０３】
（メール作成部４１２）
メール作成部４１２は、写真シール作成装置１で遊んだユーザのメールアドレス宛に送信されるメールを作成する。本実施形態では、メール作成部４１２は、メールデータベース４２１に格納されているデータを用いて、通信制御部４１１から入力されたメールアドレス宛に送信される、画像の保存を案内するメールを作成し、通信制御部４１１に出力する。
【０１０４】
（ウェブページ作成部４１３）
ウェブページ作成部（表示画面作成部）４１３は、携帯端末６、または、写真シール作成装置１（後述する各種モニタ）に表示されるウェブページを作成する。本実施形態では、ウェブページ作成部４１３は、ウェブページデータベース４２３に格納されているデータを用いて、携帯端末６または写真シール作成装置１から受信したアクセス要求に応じたウェブページを作成し、通信制御部４１１に出力する。詳細は後述するが、ウェブページ作成部４１３は、ユーザの会員種別に応じたウェブページを作成する。
【０１０５】
ウェブページ作成部４１３は、例えば、タグ付けされた画像等のオブジェクトに関連付けられた画像（コンテンツ）およびオブジェクトを画像公開サービス（コンテンツ公開サービス）における表示画面に表示する。以下では、ウェブページ作成部４１３が、オブジェクトに関連付けられた画像およびオブジェクトを画像公開サービスにおけるウェブページに表示する場合について説明する。また、ウェブページ作成部４１３は、画像公開サービスにおけるウェブページに表示された画像（コンテンツ）上または画像（コンテンツ）外にオブジェクトを表示させる。ウェブページ作成部４１３が、ウェブページに表示させた画像（コンテンツ）上にオブジェクトを表示させる場合、画像（コンテンツ）外よりも画像（コンテンツ）の近傍にオブジェクトを表示させることになる。これにより、視認性を向上させることができる。また、ウェブページ作成部４１３は、画像公開サービスにおけるウェブページに表示させた画像における対象の商品上にオブジェクトを表示させてもよい。この場合、対象の商品と当該対象の商品のサイトとの関係が明らかになるため、視認性をより向上させることができる。
【０１０６】
なお、以下において「ページ」は、例えば、ウェブページのように、管理サーバ４が携帯端末６等の通信端末または写真シール作成装置１に送信して表示するためのデータを意味する。上記ページには、通常、テキストデータおよび画像データが含まれており、さらに、音声データおよび動画データが含まれていてもよい。
【０１０７】
（画像管理部４１４）
画像管理部４１４は、画像提供サイトを通じてユーザに提供される画像を管理する。本実施形態では、画像管理部４１４は、写真シール作成装置１によって作成された画像のうち、ユーザによって指定された画像を画像データベース４２４に保存する。
【０１０８】
（認証部４１５）
認証部４１５は、例えば、画像管理サービスへのログイン時に携帯端末６からユーザ認証の要求を受け付け、ユーザ認証を行うものである。認証部４１５は、携帯端末６から送信された画像データ（認証用撮影画像、ログイン画像）を用いて、予め登録されている会員であるか否かを判定し、画像提供サイトへのアクセス（画像管理サービスへのログイン）、およびユーザのマイページへの未保存画像の保存を行うものであり、画像データ取得部４１５１、特徴量抽出部４１５２、および照合部４１５３を含む。なお、本実施形態では、ログイン画像および個人識別用データとしてユーザの顔画像を想定しているが、これに限られるものではない。後述するように、ユーザの顔画像以外をログイン画像および個人識別用データとしてもよい。
【０１０９】
画像データ取得部４１５１は、通信部４０３を介して携帯端末６から、携帯端末６にて撮影された認証用撮影画像の画像データを取得し、特徴量抽出部４１５２に送信する。
【０１１０】
特徴量抽出部４１５２は、画像データ取得部４１５１から送信された画像データの特徴量を抽出し、照合部４１５３に送信する。
【０１１１】
照合部４１５３は、特徴量抽出部４１５２から送信された画像データの特徴量と、会員データベース４２２に保存されている、ユーザの個人識別用データとを照合する。照合の手法は、どのような技術を用いて行ってもよいが、例えば、顔の輪郭点が各々一致するか否か比較する、特定の器官の輪郭点（網膜等）が各々一致するかを比較する等が挙げられる。そして、比較の結果、信頼度が閾値以上である場合、送信された画像データの特徴量と、会員データベース４２２に保存されている、ユーザの個人識別用データとが合致すると判断する。そして、特徴量と個人識別用データとが合致する場合、照合部４１５３は、ユーザ認証が成功したと判断し、携帯端末６から画像提供サイトのユーザのマイページへのアクセスを許可（ログイン）すると共に、写真シール作成装置１にて撮影された撮影画像のうち、ユーザのマイページに保存されていない撮影画像を、ユーザのマイページへ保存する指示を画像管理部４１４に送信する。マイページとは、画像提供サイトにおけるユーザ毎の固有のページである。ユーザはマイページにアクセスすることにより、写真シール作成装置１で撮影し、保存した撮影画像を閲覧等することができる。
【０１１２】
一方、特徴量と個人識別用データとが合致しない場合、照合部４１５３は、ユーザ認証が失敗した旨を携帯端末６に通知する。
【０１１３】
なお、ユーザ認証が所定の回数、失敗した場合は、会員ＩＤおよびパスワードによる認証を求めてもよい。または、複数の種類の認証が可能である場合、他の認証方法に認証方法を切り替える操作を行って、当該他の認証方法による認証を求めてもよい。
【０１１４】
（付与部４１６）
付与部４１６は、投稿指示を行ったユーザ（投稿者）のユーザアカウントに対し、有価情報を付与する。有価情報としては、例えば、画像提供サイトまたはアプリにおいて利用可能なポイント、複数種類のサービスで共通で利用可能なポイント、画像提供サイトまたはアプリの有料会員の権利取得に利用可能なポイント、写真シール作成装置１のプレイに利用可能なチケット、各種商品および／またはサービスにおいて利用可能なチケット、写真シール作成装置１において使用されているコンテンツ、写真シール作成装置１によって撮影された画像の保存枚数、ならびに、写真シール作成装置１によって撮影された画像の保存期限等が挙げられる。付与部４１６は、特定のユーザのユーザアカウントに対石、有価情報を付与した場合、当該有価情報を会員データベース４２２における対応するユーザアカウントに記録する。
【０１１５】
ここで、特許文献１に記載されているような従来技術では、タグ付けされた商品を、タグ付けしたユーザ以外のユーザが購入した場合に、タグ付けしたユーザのユーザアカウントに対し、ポイントが付与される。そのため、特許文献１に記載されているような従来技術は、投稿者のユーザアカウントに対し、有価情報を付与するものではない。
【０１１６】
一方、本実施形態における付与部４１６は、投稿者のユーザアカウントに対し、有価情報を付与する。具体的には、付与部４１６は、画像公開サービスへのタグ付けされた画像の投稿が完了した際に、投稿者のユーザアカウントに対し、有価情報を付与する。これにより、投稿者のモチベーションを向上させることができる。そのため、画像公開サービスを利用することを投稿者等のユーザにより動機付けることができる。結果として、画像公開サービスを利用するユーザの数を向上させることができる。
【０１１７】
また、タグ付けされた画像がＳＮＳ等の画像公開サービスに投稿されることで、投稿者は、当該タグ付けされた画像を他のユーザに確認させることができる。例えば、タグ付けされた画像が、特定の商品のコスメを利用したユーザに関する画像であるとする。この場合、投稿者は、当該画像を投稿する際に、ＳＮＳ等の画像公開サービスを利用する他のユーザに、ユーザが利用しているコスメを紹介できる。このように、画像公開サービスがＳＮＳである場合は特に、ユーザ同士が情報を共有し合う機会を増やすことができる。
【０１１８】
付与部４１６は、投稿者のユーザアカウントに対し、タグ付けされた画像（コンテンツ）の投稿数に応じた有価情報を付与する。また、付与部４１６は、投稿数が多い順に投稿者をランク付けしてもよい。また、付与部４１６は、タグ付けされた画像が投稿された数が所定の数に達するたびに、投稿者のユーザアカウントに対し、ボーナスポイントを付与してもよい。また、付与部４１６は、投稿者のユーザアカウントに対し、投稿数とは別に、投稿された画像（コンテンツ）の数に応じた有価情報を付与してもよい。これにより、例えば、１回の投稿につき、複数の画像（コンテンツ）が投稿されている場合、投稿数自体は少なくとも投稿者のユーザアカウントに対し、高い有価情報を付与することになる。これにより、タグ付けされた画像を投稿することを投稿者等のユーザにより動機付けることができる。結果として、画像公開サービスを利用することを投稿者等のユーザにさらに動機付けることができる。
【０１１９】
付与部４１６は、オブジェクトを介してアクセスされた対象の商品に関するサイトまたはアプリにおいて商品が購入された場合、投稿者のユーザアカウントに対し、有価情報を付与する。これにより、画像公開サービスを利用することを投稿者等のユーザにさらに動機付けることができる。付与部４１６は、ユーザが、オブジェクトを介して特定のサイトにアクセスした場合にも、投稿者のユーザアカウントに対し、有価情報を付与してもよい。これにより、画像公開サービスを利用することを投稿者等のユーザにさらに動機付けることができる。
【０１２０】
ユーザが画像提供サイトの有料会員であり、当該ユーザが対象の商品に関するサイトまたはアプリにおいて商品を購入した場合、付与部４１６は、当該商品の値段を割引してもよい。また、付与部４１６は、会員の種類に応じて割引率を決定してもよい。例えば、付与部４１６は、ユーザが無料会員（ゲスト）である場合、割引率を０％に決定してもよい。また、付与部４１６は、ユーザが有料会員であって、ミニである場合、割引率を３％、スタンダードである場合、割引率を７％、プレミアムである場合、割引率を１０％に決定してもよい。これにより、ユーザに画像提供サイトの有料会員となることを動機付けることができる。
【０１２１】
付与部４１６は、投稿者のユーザアカウントに対し、画像（コンテンツ）に関連付けられたオブジェクトの数に応じた有価情報を付与する。また、付与部４１６は、画像に関連付けたオブジェクトの数が多い順に投稿者をランク付けする。これらにより、画像にオブジェクトを関連付けることを投稿者等のユーザにより動機付けることができる。結果として、画像公開サービスを利用することを投稿者等のユーザにさらに動機付けることができる。
【０１２２】
（判定部４１７）
判定部４１７は、画像（コンテンツ）における対象の商品と、オブジェクトからアクセス可能なサイトまたはアプリにおける対象の商品とが一致しているか否かを判定する。具体的には、判定部４１７は、画像内における対象の商品名と、タグ名とが一致しているか否かを判定する。判定部４１７は、画像における対象の商品と、オブジェクトからアクセス可能なサイトまたはアプリにおける対象の商品とが一致していないと判定した場合、画像（コンテンツ）またはオブジェクトを削除する。これにより、投稿者のユーザアカウントに対し、誤って有価情報を付与することを防止できる。
【０１２３】
判定部４１７は、例えば、画像認識によって、画像における対象の商品と、オブジェクトからアクセス可能なサイトまたはアプリにおける対象の商品とが一致しているか否かを判定する。この場合、判定部４１７は、画像における対象の商品およびオブジェクトを系統（ジャンル）別に体系化（例えば、タグをシソーラス変換）した上で、画像とオブジェクトとの関連度合いを算出することで、上述の判定を行う。これにより、誤認識しやすい系統の画像およびオブジェクトであっても、好適に判定することができる。
【０１２４】
また、判定部４１７は、複数の同じ画像（コンテンツ）が画像公開サービス（コンテンツ公開サービス）に投稿されたか否かを判定し、複数の同じ画像が画像公開サービスに投稿されたと判定した場合、当該投稿を無効にする。これにより、例えば、同じ画像のうちのいずれかが盗用されたものである場合、盗用された画像を投稿した投稿者のユーザアカウントに対し、誤って有価情報を付与することを防止できる。
【０１２５】
ここで、制御部４０１が、過去に投稿された画像およびオブジェクト等を機械学習しているとする。この場合、判定部４１７は、制御部４０１が機械学習し、記憶部４０２に格納された画像およびオブジェクトのデータを参照し、上述の判定を行ってもよい。これにより、より好適に判定することができる。
【０１２６】
なお、上述の例では、制御部４０１は判定部４１７を備えており、判定部４１７が、画像における対象の商品と、オブジェクトからアクセス可能なサイトまたはアプリにおける対象の商品とが一致しているか否かを判定している。ただし、本実施形態ではこれに限定されず、制御部４０１が判定部４１７を備えておらず、ユーザの目視によって上述の判定を行ってもよい。また、ユーザが、画像における対象の商品と、オブジェクトからアクセス可能なサイトまたはアプリにおける対象の商品とが一致していないと判定した場合、当該オブジェクトを手動で削除してもよい。
【０１２７】
（記憶部４０２の詳細）
図１に示すように、記憶部４０２は、メールデータベース４２１、会員データベース４２２、ウェブページデータベース４２３、画像データベース４２４、および画像保存判定データベース４２５を含む。
【０１２８】
（メールデータベース４２１）
メールデータベース４２１は、ユーザに送信するメールを作成するための各種データを格納している。
【０１２９】
（会員データベース４２２）
会員データベース４２２は、画像提供サイトの会員であるユーザに関する各種情報（会員情報）を格納している。図１１に、会員データベース４２２の例を示す。図１１に示すように、本実施形態では、会員データベース４２２には、写真シール作成装置１を利用するユーザを識別する個人識別用データ（例えば顔情報）およびユーザを特定する情報（ユーザ特定情報）が、ユーザ別に格納されている。ユーザ特定情報としては、例えば、ユーザの会員ＩＤ、メールアドレス、ニックネーム、パスワード、生年月日、住所、会員属性、入会日、および、ユーザが保有する携帯端末の端末ＩＤ等を挙げることができる。また、会員属性としては、例えば、有料会員および無料会員等を挙げることができる。
【０１３０】
（ウェブページデータベース４２３）
ウェブページデータベース４２３は、携帯端末６または写真シール作成装置１（後述する各種モニタ）に表示される画像提供サイトのウェブページを作成するための各種データを格納している。
【０１３１】
（画像データベース４２４）
画像データベース４２４は、写真シール作成装置１によって作成されたユーザの画像のうち、画像提供サイトに保存するようにユーザによって指示された画像を格納している。画像データベース４２４には、画像が、会員データベース４２２に会員として登録されているユーザごとに区別されて格納されている。
【０１３２】
図示はしないが、記憶部４０２は、写真シール作成装置１から受信した画像等のデータを一時的に保存する一時保存データベースも有している。
【０１３３】
（画像保存判定データベース４２５）
画像保存判定データベース４２５には、写真シール作成装置１によって撮影された撮影画像をユーザがマイページに保存したか否かが記録されている。図１２に画像保存判定データベース４２５の例を示す。図１２に示すように、画像保存判定データベース４２５には、会員ＩＤ、パスワード、メールアドレス、シールＩＤ、シール機で撮影した撮影日時、撮影画像データ、および画像保存の有無が記録されている。例えば、会員ＩＤ「００１」のユーザが撮影した画像データが、Ａ１、Ａ２、Ａ３と３枚あり、そのうちのＡ１をマイページに保存していた場合、図１２に示すように、「撮影画像データ」Ａ１に対応する「画像保存の有無」には保存されていることを示す情報（図１２では○で示す）が記録され、保存されていないＡ２およびＡ３に対応する「画像保存の有無」には保存されていないことを示す情報（図１２では×で示している）が記録される。なお、保存されていない場合は「NULL」と記録し、保存された場合は、当該「NULL」が削除されるものであってもよい。
【０１３４】
（通信部４０３の詳細）
本実施形態では、写真シール作成装置１および携帯端末６が、通信部４０３の通信相手である。通信部４０３は、通信制御部４１１の制御を受けることによって、他の装置からデータを受信したり、他の装置にデータを送信したりする。
【０１３５】
（携帯端末６）
図１に示すように、携帯端末６は、主に、制御部６０１、記憶部６０８、通信部６０９、および表示部６０７を備えている。
【０１３６】
（制御部６０１の詳細）
制御部６０１は、携帯端末６に備えられる各部材を統括制御する。また、制御部６０１は、表示制御部６０２および通信制御部６０３としても機能する。
【０１３７】
（表示制御部６０２）
表示制御部６０２は、表示部６０７における情報表示を制御する。例えば、通信制御部６１１から入力されたウェブページを表示制御部６０２が表示部６０７に出力することによって、当該ウェブページを表示部６０７に表示させることができる。
【０１３８】
（通信制御部６０３）
通信制御部６０３は、通信部６０９による通信を制御する。
【０１３９】
（表示部６０７）
表示部６０７は、ユーザに対して各種情報、例えば、画像提供サイトへまだ保存されていない画像があることを示す通知等を表示する。また、表示部６０７は、ユーザが携帯端末６に情報を入力するためのタッチパネルとしても機能する。
【０１４０】
（記憶部６０８）
記憶部６０８は、携帯端末６において使用される各種データを記憶する。
【０１４１】
（通信部６０９）
通信部６０９は、撮影画像管理システム１０を構成する他の装置と通信する。
【０１４２】
（画像の投稿例１）
図１３を用いて、画像の投稿例１について説明する。図１３は、本発明の実施形態に係るオブジェクトが関連付けられた画像の投稿の一例を説明するための図である。なお、以下に示す携帯端末６におけるウェブページの表示は、携帯端末６にインストールされているウェブブラウザによって行われてもよいし、画像公開サービス専用のアプリケーションによって行われてもよい。
【０１４３】
管理サーバ４の通信部４０３は、画像７００と、タグ（オブジェクト）７０１とを関連付けて画像公開サービスに投稿する投稿指示を、携帯端末６から受け付ける。当該投稿指示は、一例として以下のようになされる。まず、ユーザは、図１３の（ａ）に示す、画像に付けるタグを追加するボタン７０２をタッチする。次に、ユーザは、図１３の（ｂ）に示す対象のアイテムに関するサイトＡ〜Ｈのうち、対象のアイテムに関するサイトＡを選択し、追加するタグを検索するボタン７０３をタッチする。次に、ユーザは、図１３の（ｃ）に示す対象のアイテムに関するサイトＡにおけるアイテムのうち、対象のアイテムａを選択する。次に、ユーザは、図１３の（ｄ）に示す対象のアイテムａのタグ（オブジェクト）７０１を画像７００に付けることを選択し、このタグを付けるボタン７０４をタッチする。これにより、図１３の（ｅ）に示すように、選択された対象のアイテムａのタグ７０１が画像公開サービスにおけるウェブページに反映される。次に、ユーザは、図１３の（ｆ）に示すように、対象のアイテムａのサイトにリンクするタグ７０１を付ける領域を決定する。ここでは、ユーザは、タグ７０１を画像７００上に付けることを決定する。ユーザが、図１３の（ｅ）に示す投稿のボタン７０６をタッチすることで、管理サーバ４の通信部４０３は、投稿指示を携帯端末６から受け付ける。これにより、図１３の（ｇ）に示すように、タグ７０１が付けられた（関連付けられた）画像７００が画像公開サービスに投稿される。管理サーバ４の制御部４０１における付与部４１６は、画像公開サービスへの画像７００の投稿が完了した際に、投稿者のユーザアカウントに対し、有価情報を付与する。
【０１４４】
なお、管理サーバ４の制御部４０１におけるウェブページ作成部４１３は、図１３の（ｂ）に示すように、対象のアイテムを検索できる画面を画像公開サービスにおけるウェブページに表示させてもよい。これにより、ユーザは、対象のアイテムを検索した後に、対象のアイテムを選択する際に、当該対象のアイテムに関するサイトＡ〜Ｈのうちのいずれのサイトにするかを選択できる。
【０１４５】
また、ウェブページ作成部４１３は、図１３の（ｂ）に示すように、過去にユーザが選択した１以上のアイテムのタグの履歴である過去に付けたタグ７０５を画像公開サービスにおけるウェブページに表示させてもよい。これにより、画像７００に付けるアイテムのタグをユーザに容易に選択させることができる。
【０１４６】
なお、図１３の（ｇ）に示すように、ウェブページ作成部４１３は、アイテムを追加するボタン７０７を画像公開サービスにおけるウェブページに表示させてもよい。これにより、ユーザは、タグ付きの画像を投稿した後も、アイテムを追加し、複数のタグ７０１を画像７００に関連付けることができる。
【０１４７】
また、管理サーバ４の通信部４０３は、投稿者のユーザアカウントに対して有価情報が付与された旨を、投稿者の携帯端末６に通知してもよい。これにより、動画公開サービス（コンテンツ公開サービス）への画像の投稿意欲を、投稿者等のユーザに高めさせることができる。これにより、動画公開サービスを利用することを、投稿者等のユーザにより動機付けることができる。
【０１４８】
（画像の投稿例２）
図１４を用いて、画像の投稿例２について説明する。図１４は、本発明の実施形態に係るオブジェクトが関連付けられた画像の投稿の一例を説明するための図である。
【０１４９】
上述の例と同様に、まず、ユーザが、図１４の（ａ）に示すタグを追加するボタン７０２をタッチしたとする。この場合、管理サーバ４の制御部４０１におけるウェブページ作成部４１３は、図１４の（ｂ）に示すように、対象のアイテムに関するサイトおよび対象のアイテムを検索する画面を画像公開サービスにおけるウェブページに表示させる。続いてウェブページ作成部４１３は、管理サーバ４の通信部６０９を介して、画像（コンテンツ）７００と、当該画像７００に含まれる対象のアイテム（商品）に関するタグ７０８とを関連付けることを携帯端末６のユーザに提案する。具体的には、図１４の（ｂ）に示すように、ウェブページ作成部４１３は、オススメタグとして、オススメのアイテムに関するサイトにリンクするタグ（オブジェクト）７０８を提示（提案）する。これにより、タグ付け（関連付け）をより容易に行うことができるため、画像に付けるタグをユーザにより容易に選択させることができる。制御部６０１は、管理サーバ４の制御部４０１が機械学習することによって、過去に蓄積された、画像に付けたタグ等のデータを参照し、上述の提示（提案）を行うことができる。次に、ユーザが、図１４の（ｃ）に示す対象のアイテムｄのタグ７０８を画像７００に付けることを選択し、ボタン７０４をタッチする。この場合、ウェブページ作成部４１３は、図１４の（ｅ）に示すように、選択された対象のアイテムｄのタグ７０８を画像公開サービスにおけるウェブページに反映させる。その後、ユーザは、図１３の（ｆ）および（ｇ）と同様に、タグ７０８を画像７００上に付けることを決定する。そして、ユーザが投稿のボタン７０６をタッチすることで、タグ７０８が付けられた（関連付けられた）画像７００が、画像公開サービスに投稿される。
なお、携帯端末６のユーザが過去に画像公開サービス（コンテンツ公開サービス）に投稿したタグが付けられた画像を携帯端末６の記憶部６０８が記憶しているとする。この場合、管理サーバ４のウェブページ作成部４１３は、携帯端末６の記憶部６０８に記憶された当該画像を参照した上で、上述の提示（提案）を行ってもよい。また、簡単な提示（提案）であれば、管理サーバ４のウェブページ作成部４１３の代わりに、携帯端末６の表示制御部６０２が上述の提示（提案）を行ってもよい。携帯端末６の表示制御部６０２が上述の提示（提案）を行うことで、管理サーバ４と携帯端末６との通信を介さず、全体的な処理量を減らしながら当該提示（提案）を行うことができる。
【０１５０】
（画像の投稿例３）
図１５を用いて、画像の投稿例３について説明する。図１５は、オブジェクトが関連付けられた画像の投稿の一例を説明するための図である。
【０１５１】
図１５の（ａ）に示すように、ここでは、画像７００が、他のユーザによって、画像公開サービスに既に投稿されている。ユーザは、画像７００中に情報が欲しいアイテム（商品）が含まれている場合、当該アイテムの情報を、画像公開サービスを利用する他のユーザに聞く（質問する）ことができる。
【０１５２】
例えば、図１５の（ａ）では、管理サーバ４の制御部４０１におけるウェブページ作成部４１３は、画像公開サービスに投稿された画像７００が含まれるウェブページの最下部に、上述のアイテムの情報を質問するボタン７０９を表示している。携帯端末６を介して、ユーザから当該ボタン７０９のタッチを受け付けたウェブページ作成部４１３は、図１５の（ｂ）に示す画面を画像公開サービスにおけるウェブページに表示させる。ユーザは、図１５の（ｂ）に示す画面に示される画像７００において、情報を教えて欲しいアイテムが位置する領域７１０を選択する。続いて、ユーザは、情報を教えて欲しいアイテムに関する質問を送信するボタン７１１をタッチする。携帯端末６を介して、当該タッチを受け付けたウェブページ作成部４１３は、ダイアログ７１４を画像公開サービスにおけるウェブページに表示させる。ダイアログ７１４は、他のユーザへの当該領域７１０に位置するアイテムに関する質問７１２および当該質問７１２に対する他のユーザの回答７１３に関するダイアログである。
【０１５３】
（商品の購入例１）
図１６および１７を用いて、商品の購入例１について説明する。図１６および１７は、本発明の実施形態に係るオブジェクトを介してアクセスされた対象の商品に関するサイトにおける商品の購入の一例を説明するための図である。
【０１５４】
図１６の（ａ）では、画像８００上に１つのタグ（オブジェクト）８０１が付けられている。ここでは、画像８００における対象のアイテム（商品）ｉ上に、当該対象のアイテムｉに関するサイトにアクセス可能なリンク機能を有するタグ８０１が付けられている。管理サーバ４の制御部４０１におけるウェブページ作成部４１３は、携帯端末６を介して、ユーザからタグ８０１のタッチを受け付けた場合、図１６の（ｂ）に示す、対象のアイテムｉの概要に関する画面を画像公開サービスにおけるウェブページに表示させる。当該画面には、対象のアイテムｉに関するサイトＩにアクセス可能なリンク８０２が設けられている。ここでは、対象のアイテムｉに関するサイトＩは、対象のアイテムｉを購入可能な外部のＥＣサイトである場合について説明する。ウェブページ作成部４１３は、携帯端末６を介して、ユーザからリンク８０２のタッチを受け付けた場合、図１６の（ｃ）に示す、対象のアイテムｉに関するサイトＩの画面を画像公開サービスにおけるウェブページに表示させる。これにより、ユーザは、サイトＩからアイテムを購入することができる。
【０１５５】
購入者Ｙが、タグ８０１を介してアクセスした対象のアイテムｉに関するサイトＩにおいてアイテムを購入したとする。この場合、管理サーバ４の制御部４０１における付与部４１６は、画像８００を画像公開サービスに投稿した投稿者Ｘのユーザアカウントに対し、ポイントを付与する。そして、管理サーバ４の通信部４０３は、投稿者Ｘのユーザアカウントに対してポイントが付与された旨を、アイテムの購入者Ｙの携帯端末６に通知する。これにより、購入者Ｙが、画像８００を画像公開サービスに投稿する意欲を高めることができる。その結果、画像公開サービスを利用することを購入者Ｙ等ユーザにさらに動機付けることができる。
【０１５６】
管理サーバ４の通信部４０３は、例えば、図１７の（ａ）に示すように、プッシュ通知９０１を携帯端末６の表示部６０７上に表示するによって購入者Ｙに上述の通知を行う。通信部４０３は、プッシュ通知９０１の他にメール通知等の公知の方法によって上述の通知を行ってもよい。また、購入者Ｙが当該プッシュ通知９０１をタッチしたとする。この場合、携帯端末６の制御部６０１における表示制御部６０２は、図１７の（ｂ）に示すように、ダイアログ９０２を表示部６０７に表示させる。当該ダイアログ９０２は、例えば、購入者Ｙが投稿者Ｘのタグ８０１に設けられたリンクからアイテムを購入したため、投稿者Ｘのユーザアカウントに対し、１００ポイントが付与されたことを通知するダイアログである。
【０１５７】
通信部４０３は、上述の通知は、例えば、図１７の（ｃ）に示すように、投稿者Ｘに対しても上述の通知を行ってよい。また、投稿者Ｘが当該プッシュ通知９０３をタッチしたとする。この場合、携帯端末６の制御部６０１における表示制御部６０２は、図１７の（ｄ）に示すように、ダイアログ９０４を表示部６０７に表示させる。当該ダイアログ９０４は、例えば、投稿者Ｘのタグ８０１に設けられたリンクから、購入者Ｙがアイテムを購入したため、投稿者Ｘのユーザアカウントに対し、１００ポイントが付与されたことを通知するダイアログである。
【０１５８】
（商品の購入例２）
図１８を用いて、商品の購入例２について説明する。図１８は、本発明の実施形態に係るオブジェクトを介してアクセスされた対象の商品に関するサイトにおける商品の購入の一例を説明するための図である。
【０１５９】
図１８の（ａ）では、画像１０００上にタグ（オブジェクト）１００１が設けられている。ここでは、画像１０００における対象のアイテム（商品）ｊ、ｋ、ｌおよびｍ上に、タグ（オブジェクト）１００１ｊ、１００１ｋ、１００１ｌおよび１００１ｍがそれぞれ設けられている。タグ（オブジェクト）１００１ｊ、１００１ｋ、１００１ｌおよび１００１ｍは、それぞれ、当該対象のアイテムｊ、ｋ、ｌおよびｍに関するサイトにアクセス可能なリンク機能を有する。
【０１６０】
管理サーバ４の制御部４０１におけるウェブページ作成部４１３は、携帯端末６を介して、ユーザからタグ１００１ｌのタッチを受け付けたとする。この場合、ウェブページ作成部４１３は、図１８の（ｂ）に示す、対象のアイテムｌの概要に関する画面を画像公開サービスにおけるウェブページに表示させる。当該ウェブページには、対象のアイテムｌに関するサイトＬにアクセス可能なリンク１００２が設けられている。ここでは、対象のアイテムｌに関するサイトＬは、対象のアイテムｌを購入可能な外部のＥＣサイトである場合について説明する。ユーザからリンク１００２のタッチを受け付けた場合、ウェブページ作成部４１３は、図１８の（ｃ）に示す、対象のアイテムｌに関するサイトＬを画像公開サービスにおけるウェブページに表示させる。これにより、ユーザは、サイトＬからアイテムを購入することができる。このように、画像１０００に複数のタグ１００１ｊ、１００１ｋ、１００１ｌおよび１００１ｍが設けられている場合も、購入例１と同様に、アイテムを購入することができる。
【０１６１】
購入者が、タグ１００１ｌを介してアクセスした対象のアイテムｌに関するサイトＬにおいてアイテムを購入したとする。この場合、管理サーバ４の制御部４０１における付与部４１６は、上述の例と同様に、画像１０００を画像公開サービスに投稿した投稿者のユーザアカウントに対し、ポイントを付与する。そして、管理サーバ４の通信部４０３は、上述の例と同様に、投稿者のユーザアカウントに対してポイントが付与された旨を、アイテムの購入者に通知する。
【０１６２】
（判定例１）
図１９を用いて、画像における対象の商品と、オブジェクトからアクセス可能なサイトにおける対象の商品とが一致しているか否かの判定例１について説明する。図１９は、本発明の実施形態に係る画像における対象の商品と、オブジェクトからアクセス可能なサイトにおける対象の商品とが一致しているか否かの判定の一例を説明するための図である。
【０１６３】
図１９の（ａ）に示すように、ユーザが、画像７００を画像公開サービスに投稿する前の段階で、アイテム（商品）ｄに関するサイトにアクセス可能なタグ（オブジェクト）７０８を選択しているとする。管理サーバ４の制御部４０１における判定部４１７は、画像７００における対象の商品と、タグ７０８からアクセス可能なサイトにおける対象の商品とが一致しているか否かを判定する。ここでは、判定部４１７は、画像７００における対象の商品名と、タグ７０８のタグ名とが一致しているか否かを判定する。画像７００における対象の商品名と、タグ７０８のタグ名とが一致していないと判定部４１７が判定したとする。この場合、管理サーバ４の制御部４０１におけるウェブページ作成部４１３は、図１９の（ｂ）に示すように、ダイアログ１１０１を画像公開サービスにおけるウェブページに表示させる。ダイアログ１１０１は、タグ７０８が誤っている可能性があり、削除することを提示（提案）するダイアログである。ウェブページ作成部４１３は、当該ダイアログ１１０１を介して、ユーザからタグ７０８を削除する指示をユーザから受け付けた場合、タグ７０８を削除する。これにより、図１９の（ｃ）に示すように、リンク機能を有するタグ７０８の削除が反映される。
【０１６４】
（判定例２）
図２０を用いて、画像における対象の商品と、オブジェクトからアクセス可能なサイトにおける対象の商品とが一致しているか否かの判定例２について説明する。図２０は、本発明の実施形態に係る画像における対象の商品と、オブジェクトからアクセス可能なサイトにおける対象の商品とが一致しているか否かの判定の一例を説明するための図である。
【０１６５】
ユーザが、画像７００を画像公開サービスに投稿した後に、管理サーバ４の制御部４０１における判定部４１７は、画像７００における対象の商品と、タグ７０８からアクセス可能なサイトにおける対象の商品とが一致しているか否かを判定してもよい。判定部４１７が、画像７００における対象の商品と、タグ７０８からアクセス可能なサイトにおける対象の商品とが一致していないと判定した場合、管理サーバ４の通信部４０３は、タグ７０８が誤っている可能性がある旨を投稿者に通知する。
【０１６６】
管理サーバ４の通信部４０３は、例えば、図２０の（ａ）に示すように、プッシュ通知１２０１を携帯端末６の表示部６０７に表示させることによって、投稿者に対して上述の通知を行う。また、通信部４０３は、プッシュ通知１２０１の他にメール通知等の公知の方法によって上述の通知を行ってもよい。また、表示制御部６０２は、投稿者から当該プッシュ通知１２０１のタッチを受け付けた場合、図２０の（ｂ）に示すように、ダイアログ１２０２を表示部６０７に表示させる。当該ダイアログ１２０２は、タグ７０８が誤っている可能性があり、削除することを提示（提案）するダイアログである。管理サーバ４の制御部４０１におけるウェブページ作成部４１３は、携帯端末６を介して、タグ７０８を削除する指示をユーザから受け付けた場合、表示部６０７に表示された画像７００に付されたタグ７０８を削除する。これにより、図２０の（ｃ）に示すように、リンク機能を有するタグ７０８の削除が反映される。
【０１６７】
（管理サーバ４の制御処理）
次に、図２１を用いて、本発明の実施形態に係る管理サーバ（管理装置）４の制御処理（制御方法）の流れを説明する。
【０１６８】
図２１は、本発明の実施形態に係る管理サーバ４の制御処理の流れの一例を示すフローチャートである。
【０１６９】
ステップＳ１０１において、管理サーバ４の通信部４０３は、対象の商品に関する画像（コンテンツ）と、当該対象の商品に関するサイトまたはアプリにアクセス可能なリンク機能を有するオブジェクトとを関連付けて画像公開サービス（コンテンツ公開サービス）に投稿する投稿指示を、携帯端末６から受け付ける（通信ステップ）。
【０１７０】
ステップＳ１０２において、管理サーバ４の制御部４０１におけるウェブページ作成部４１３は、オブジェクトに関連付けられた画像（コンテンツ）およびオブジェクトを、画像公開サービス（コンテンツ公開サービス）におけるウェブページに表示する（表示画面作成ステップ）。
【０１７１】
ステップＳ１０３において、管理サーバ４の制御部４０１における付与部４１６は、投稿指示を行ったユーザのユーザアカウントに対し、有価情報を付与する（付与ステップ）。
【０１７２】
〔ソフトウェアによる実現例〕
管理サーバ４および携帯端末６の制御ブロック（特に制御部４０１および制御部６０１）は、集積回路（ＩＣチップ）等に形成された論理回路（ハードウェア）によって実現してもよいし、ソフトウェアによって実現してもよい。
【０１７３】
後者の場合、管理サーバ４および携帯端末６は、各機能を実現するソフトウェアであるプログラムの命令を実行するコンピュータを備えている。このコンピュータは、例えば１つ以上のプロセッサを備えていると共に、上記プログラムを記憶したコンピュータ読み取り可能な記録媒体を備えている。そして、上記コンピュータにおいて、上記プロセッサが上記プログラムを上記記録媒体から読み取って実行することにより、本発明の目的が達成される。上記プロセッサとしては、例えばＣＰＵ（Central Processing Unit）を用いることができる。上記記録媒体としては、「一時的でない有形の媒体」、例えば、ＲＯＭ（Read Only Memory）等の他、テープ、ディスク、カード、半導体メモリ、プログラマブルな論理回路等を用いることができる。また、上記プログラムを展開するＲＡＭ（Random Access Memory）等をさらに備えていてもよい。また、上記プログラムは、該プログラムを伝送可能な任意の伝送媒体（通信ネットワークおよび放送波等）を介して上記コンピュータに供給されてもよい。なお、本発明の一態様は、上記プログラムが電子的な伝送によって具現化された、搬送波に埋め込まれたデータ信号の形態でも実現され得る。
【０１７４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【０１７５】
１                                                    写真シール作成装置
４                                                    管理サーバ（管理装置）
６                                                    携帯端末（端末装置）
１０                                                    撮影画像管理システム
４０３                                                    通信部
４１６                                                    付与部
４１３                                                    ウェブページ作成部（表示画面作成部）
４１７                                                    判定部
７００、８００、１０００                                  画像
７０１、７０５、７０８、８０１、１００１、１００１ｊ、１００１ｌ  タグ（オブジェクト）
ａ、ｄ、ｉ、ｊ、ｌ                                        アイテム（商品）
【図１】
2020126539.tif 000003
【図２】
2020126539.tif 000004
【図３】
2020126539.tif 000005
【図４】
2020126539.tif 000006
【図５】
2020126539.tif 000007
【図６】
2020126539.tif 000008
【図７】
2020126539.tif 000009
【図８】
2020126539.tif 000010
【図９】
2020126539.tif 000011
【図１０】
2020126539.tif 000012
【図１１】
2020126539.tif 000013
【図１２】
2020126539.tif 000014
【図１３】
2020126539.tif 000015
【図１４】
2020126539.tif 000016
【図１５】
2020126539.tif 000017
【図１６】
2020126539.tif 000018
【図１７】
2020126539.tif 000019
【図１８】
2020126539.tif 000020
【図１９】
2020126539.tif 000021
【図２０】
2020126539.tif 000022
【図２１】
2020126539.tif 000023